(57)【要約】【課題】フランジの外周を位置決めとしてを用い、方向性を持たせるとともに、位置ずれや傾き等を生ずることなく結合可能なキーシートを提供する。【解決手段】リング状の円形のキー４は裏返して位置決め用の冶具６にセットされる。キー４のフランジ８の突起９が位置決め用冶具６の切り欠き１０に嵌合し、キー４の円周方向に規制がかかり、位置決め用冶具６に対して位置が決まる。真円のキートップ１は裏返して位置決め用冶具６にセットされる。この際、キートップ１のフランジ２の切り欠き３が位置決め用冶具６の突起７に嵌合し、キートップ１の円周方向に規制がかかり、位置決め用冶具６に対して位置が決まる。キートップ１及びキー４に接着剤を塗布し、その上からラバーシート５をセットして加圧し、結合させ、位置決め用冶具６から取り外す。【選択図】      図３
2004281331.tif 000002
【特許請求の範囲】
【請求項１】
ラバーシートとキートップとを結合してなるキーシートであって、前記キートップ底部のフランジに配設されかつ前記ラバーシートとキートップとの結合時に用いられる位置決め用冶具に対する位置決めを行うための第１の位置決め用部材を有することを特徴とするキーシート。
【請求項２】
前記キートップは、真円形状及びそれの類似形状のいずれかでありかつ少なくとも文字表示による方向性を含むことを特徴とする請求項１記載のキーシート。
【請求項３】
前記第１の位置決め用部材は、切り欠きと突起とそれらの組合せとのいずれかの形状であることを特徴とする請求項１または請求項２記載のキーシート。
【請求項４】
前記キートップが中央に配置されかつ前記キートップを前記ラバーシートとの間で保持するリング状のキーを含むことを特徴とする請求項１から請求項３のいずれか記載のキーシート。
【請求項５】
前記リング状のキー底部のフランジに配設されかつ前記位置決め用冶具に対する位置決めを行うための第２の位置決め用部材を含むことを特徴とする請求項４記載のキーシート。
【請求項６】
前記第２の位置決め用部材は、切り欠きと突起とそれらの組合せとのいずれかの形状であることを特徴とする請求項５記載のキーシート。
【請求項７】
キートップとラバーシートとを結合し、前記キートップを前記ラバーシートとの間で保持するリング状のキーを含むキーシートの組立て方法であって、
前記リング状のキー底部のフランジに配設されかつ前記ラバーシートとキートップとの結合時に用いられる位置決め用冶具に対する位置決めを行うための第１の位置決め用部材にて前記位置決め用冶具に対する位置決めを行う工程と、
前記キートップ底部のフランジに配設されかつ前記位置決め用冶具に対する位置決めを行うための第２の位置決め用部材にて前記位置決め用冶具に対する位置決めを行う工程と、
前記キートップ及び前記リング状のキーに前記ラバーシートを結合する工程とを有することを特徴とするキーシートの組立て方法。
【請求項８】
前記キートップは、真円形状及びそれの類似形状のいずれかでありかつ少なくとも文字表示による方向性を含むことを特徴とする請求項７記載のキーシートの組立て方法。
【請求項９】
前記第１及び位置決め用部材は、切り欠きと突起とそれらの組合せとのいずれかの形状であることを特徴とする請求項７または請求項８記載のキーシートの組立て方法。
【発明の詳細な説明】
【０００１】
【発明の属する技術分野】
本発明はキーシート及びそれに用いる組立て方法に関し、特に携帯電話、リモートコントローラ、電話機等に用いるラバーシートと樹脂等のキートップとが結合されているキーシートに関する。
【０００２】
【従来の技術】
従来、携帯電話、リモートコントローラ、電話機等においては、その入力手段として押しボタンが用いられており、押しボタンとして樹脂（プラスチック）等でできたものや、ゴムでできたものがある。
【０００３】
ゴムでできたものの中には、ゴムでできた押しボタン本体と、媒介物質と、エンジニアリングプラスチックとから構成され、押しボタン本体とエンジニアリングプラスチックとを媒介物質を介して一体に結合するものがある（例えば、特許文献１参照）。
【０００４】
携帯電話等に用いるキーシートにおいては、ラバーシートと、樹脂等のキートップとが結合されて構成されている。このキートップが真円及び類似形状となっている場合には、結合用の位置決めとしてはキートップのフランジを円ではない異形状とし、その部分を冶具等で保持して行っている。
【０００５】
【特許文献１】
登録実用新案第３０１２４６０号公報（第５，６頁、図１）
【０００６】
【発明が解決しようとする課題】
しかしながら、上述した従来のキーシートでは、リング状のキートップの中央に配置された真円及び類似形状のキートップの場合、フランジがキートップとラバーシートとの結合が外れた場合のキートップの外れ防止によって、周囲のリング状のキートップの下側に配置されるため、フランジの外周を位置決めとしてを用いることができないという問題がある。
【０００７】
また、従来のキーシートでは、キートップの外周を保持しても、円周方向での規制を行うことができないため、方向性を持たせることができないという問題がある。
【０００８】
そこで、本発明の目的は上記の問題点を解消し、フランジの外周を位置決めとしてを用いることができ、方向性を持たせることができるとともに、位置ずれや傾き等を生ずることなく結合することができるキーシート及びそれに用いる組立て方法を提供することにある。
【０００９】
【課題を解決するための手段】
本発明によるキーシートは、ラバーシートとキートップとを結合してなるキーシートであって、前記キートップ底部のフランジに配設されかつ前記ラバーシートとキートップとの結合時に用いられる位置決め用冶具に対する位置決めを行うための第１の位置決め用部材を備えている。
【００１０】
本発明によるキーシートの組立て方法は、キートップとラバーシートとを結合し、前記キートップを前記ラバーシートとの間で保持するリング状のキーを含むキーシートの組立て方法であって、
前記リング状のキー底部のフランジに配設されかつ前記ラバーシートとキートップとの結合時に用いられる位置決め用冶具に対する位置決めを行うための第１の位置決め用部材にて前記位置決め用冶具に対する位置決めを行う工程と、
前記キートップ底部のフランジに配設されかつ前記位置決め用冶具に対する位置決めを行うための第２の位置決め用部材にて前記位置決め用冶具に対する位置決めを行う工程と、
前記キートップ及び前記リング状のキーに前記ラバーシートを結合する工程とを備えている。
【００１１】
すなわち、本発明のキーシートは、携帯電話、リモートコントローラ、電話機等に用いるラバーシートと樹脂等のキートップが結合されているキーシートにおいて、円形状のキートップにて、特にリング状の中央に配置され、真円形状及び類似の形状で、かつ文字表示等によって方向性を有するキートップに関し、ラバーシート部との結合時の位置決めをキートップ底部のフランジに設けた切り欠きや突起部を用いている。
【００１２】
これによって、本発明のキーシートでは、フランジの外周を位置決めとしてを用いることが可能となり、方向性を持たせることが可能になるとともに、位置ずれや傾き等を生ずることなく結合することが可能となる。
【００１３】
【発明の実施の形態】
次に、本発明の実施例について図面を参照して説明する。図１は本発明の一実施例によるキーシートの平面図であり、図２は図１のＡＡ線に沿う矢視方向の断面図である。これら図１及び図２において、本発明の一実施例によるキーシートでは樹脂等のリング状のキー４の中央に樹脂等の真円及び類似形状のキートップ１が配置され、これらリング状のキー４及びキートップ１は接着剤等を用いてラバーシート５と結合されている。
【００１４】
キートップ１には底部にフランジ２を有しており、フランジ２には切り欠き３が２ヶ所、設けられている。フランジ２はリング状のキー４の下側に実装されており、万一、キートップ１とラバーシート５との結合が外れた場合でも外れない構造になっている。
【００１５】
図３は本発明の一実施例によるキーシートの分解図であり、図４は本発明の一実施例によるキーシートの組立て時の断面図である。これら図１〜図４を参照して本発明の一実施例によるキーシートの組立てについて説明する。
【００１６】
樹脂等のキートップ１及びリング状のキー４とラバーシート５との組付けは、各々を結合位置決め用の冶具にセットして接着剤を用いて結合して行う。手順としてはまず、位置決め用の冶具６にリング状のキー４を裏返してセットする。この際、リング状のキー４のフランジ８の突起９が位置決め用冶具６の切り欠き１０に嵌合し、リング状のキー４の円周方向にも規制がかかり、位置決め用冶具６に対して位置が決まる。
【００１７】
次に、真円のキートップ１を裏返して位置決め用冶具６にセットする。この際、キートップ１のフランジ２の切り欠き３が位置決め用冶具６の突起７に嵌合し、キートップ１の円周方向にも規制がかかり、位置決め用冶具６に対して位置が決まる。
【００１８】
次に、キートップ１及びリング状のキー４に接着剤を塗布し、その上からラバーシート５をセットして加圧し、結合させる。最後に、本実施例によるキーシートは位置決め用冶具６から取り外すことで、その組付けが完了する。
【００１９】
このように、本実施例では、ラバーシート５と樹脂等のキートップ１とが結合されているキーシートにおいて、円形状のキートップ１にて、特にリング状の中央に配置する真円及び類似形状でかつ文字表示等による方向性を有するキートップ１を、キートップ１のフランジ２に設けた切り欠き３をラバーシート５との接着時の位置決めとして用いることによって、フランジの外周を位置決めとしてを用いることができ、方向性を持たせることができるとともに、位置ずれや傾き等を生ずることなく結合することができる。
【００２０】
尚、本発明によるキーシートは、キートップ１のフランジ２に設ける接着結合時の位置決め用の切り欠き３の数を限定せず、複数箇所とすることも可能である。また、本発明によるキーシートは、キートップ１のフランジ２に設ける接着結合時の位置決め用の切り欠き３は切り欠きではなく、突起形状とすることも可能である。
【００２１】
さらに、本発明によるキーシートは、キー４のフランジ８に設ける接着結合時の位置決め用の突起９の数を限定せず、複数箇所とすることも可能である。さらにまた、本発明によるキーシートは、キー４のフランジ８に設ける接着結合時の位置決め用の部材を、切り欠き形状と突起形状との組合せとすることも可能である。
【００２２】
【発明の効果】
以上説明したように本発明は、上記のような構成及び組立て方法とすることで、フランジの外周を位置決めとしてを用いることができ、方向性を持たせることができるとともに、位置ずれや傾き等を生ずることなく結合することができるという効果が得られる。
【図面の簡単な説明】
【図１】本発明の一実施例によるキーシートの平面図である。
【図２】図１のＡＡ線に沿う矢視方向の断面図である。
【図３】本発明の一実施例によるキーシートの分解図である。
【図４】本発明の一実施例によるキーシートの組立て時の断面図である。
【符号の説明】
１  キートップ
２，８  フランジ
１０，３  切り欠き
４  キー
５  ラバーシート
６  位置決め用冶具
７，９  突起
【図１】
2004281331.tif 000003
【図２】
2004281331.tif 000004
【図３】
2004281331.tif 000005
【図４】
2004281331.tif 000006